(57)【特許請求の範囲】
【請求項１】
金属素線を撚合したワイヤロープの線条体の長手方向に沿って、透明または光透過性の樹脂質にしてアルカリ土類アルミン酸塩を母体結晶と成し、ユウロピウム（ＥＵ）を賦活剤、ジスプロシウム（Ｄｙ）またはネオジム（Ｎｄ）を賦活助剤とした粒状物の蓄光発光剤を混入して成る球形の発光膨出部を応分の間隔を有する間隔配列し、前記発光膨出部は前記蓄光発光剤を密にして概ね均一に混合した構造を有して中心孔に前記線条体を通して固着セットされた構造を特徴とする高輝度発光線条体。
【請求項２】
金属素線を撚合したワイヤロープの線条体の長手方向に沿って、前記線条体の外周に、透明または光透過性の樹脂質にしてアルカリ土類アルミン酸塩を母体結晶と成し、ユウロピウム（ＥＵ）を賦活剤、ジスプロシウム（Ｄｙ）またはネオジム（Ｎｄ）を賦活助剤とした粒状物の蓄光発光剤を混入して成る蓄光発光被覆と、該蓄光発光被覆と同質材料から成り、間隔配列した発光膨出部を設け、かつ、前記蓄光発光被覆と前記発光膨出部が、前記線条体を樹脂被覆装置のノズルから引き出して樹脂被覆を成形する際に、樹脂押し出しのスクリュー回転数を一定に保ちながら前記線条体の引き出し速度を定速にしたり停止したりして間欠運動させることにより、該蓄光発光被覆と該発光膨出部を順次連続して一体に形成して成る構造を特徴とする高輝度発光線条体。
【請求項３】
線条体が、可視光線高反射性表層または白色系表層の光線反射表層を有する請求項１または請求項２に記載の高輝度発光線条体。
【発明の詳細な説明】
【０００１】
【発明の属する技術分野】
本発明は、夜間または暗い雰囲気中で発光作用する線条体にして、安全柵・漁具・動物忌避柵・装飾装置・鑑賞装置・救急具・高所避難ロープ等の多分野の領域において、それ等の各種装置の構成要素・付属品、または独立物品として使用する発光線条体に関するものである。
【０００２】
【従来の技術】
従来、前記例示の多様な領域の諸物品の構成要素または付属品・独立物品として、柔軟質のロープ体や柔軟質・剛質の細長部材の線条体が広く使用されている。
【０００３】
【発明が解決しようとする課題】
しかし、従来の前記線条体は自発光性を有しない為、例えば危険場所・工事現場の安全柵、または夜間使用の漁具・釣り具の構成要素として暗い雰囲気中で使用された場合、それ等柵・用具等が視認困難なための不安全や不便をもたらすことがあり、また、従来の線条体を用いるイルミネーション等の美的装飾装置においても、線条体自体の発光がない為、その線条体に極めて多数個の電飾灯を連設せざるを得なく、装飾効果が一様化されると共に、その装飾装置の設定に多大の手数を要してコスト高になる。
【０００４】
さらに、一方では、夜間往行する野生動物による農作物を保護する為に、野生動物侵入防止柵を従来の線条体によって設定すると、やすやすと破壊されて侵入されてしまうケースがあり、また、暗い水面に投げ出して水上避難者を救出する救命ロープやビル火災時等に高所からの脱出避難に用いる高所避難ロープは、暗い水面や夜間における視認が困難にして、その上握った手が滑り易いので救急性能に欠ける点がある。
【０００５】
本発明は、以上の従来技術の難点を解消すると共に、広範な領域における線条体の新規用途開発を可能にする高輝度発光線条体を提供するものである。
【０００６】
【課題を解決するための手段】
以上の技術課題を解決する本発明の高輝度発光線条体は「金属素線を撚合したワイヤロープの線条体の長手方向に沿って、透明または光透過性の樹脂質にしてアルカリ土類アルミン酸塩を母体結晶と成し、ユウロピウム（ＥＵ）を賦活剤、ジスプロシウム（Ｄｙ）またはネオジム（Ｎｄ）を賦活助剤とした粒状物の蓄光発光剤を混入して成る球形の発光膨出部を応分の間隔を有する間隔配列し、前記発光膨出部は前記蓄光発光剤を密にして概ね均一に混合した構造を有して中心孔に前記線条体を通して固着セットされた構造」と、
【０００７】
「金属素線を撚合したワイヤロープの線条体の長手方向に沿って、前記線条体の外周に、透明または光透過性の樹脂質にしてアルカリ土類アルミン酸塩を母体結晶と成し、ユウロピウム（ＥＵ）を賦活剤、ジスプロシウム（Ｄｙ）またはネオジム（Ｎｄ）を賦活助剤とした粒状物の蓄光発光剤を混入して成る蓄光発光被覆と、該蓄光発光被覆と同質材料から成り、間隔配列した発光膨出部を設け、かつ、前記蓄光発光被覆と前記発光膨出部が、前記線条体を樹脂被覆装置のノズルから引き出して樹脂被覆を成形する際に、樹脂押し出しのスクリュー回転数を一定に保ちながら前記線条体の引き出し速度を定速にしたり停止したりして間欠運動させることにより、該蓄光発光被覆と該発光膨出部を順次連続して一体に形成して成る構造」と、
【０００８】
以上の段落０００６・０００７の態様構成の「線条体が、可視光線高反射性表層または白色系表層の光線反射表層を有する構造」に成っている。
【０００９】
【作用】
以上の構成から成る本発明の高輝度発光線条体は、太陽光・照明光を受けた発光膨出部が受光を蓄光して暗い雰囲気中で発光するので、線条体の長手方向に沿って発光部が連光する光る線条体として機能すると共に、その発光膨出部が容積の大なる膨出形態であることから、内在する蓄光発光剤の質量も多大になるので、高輝度の発光が長時間持続できる。そして、その発光膨出部が間隔連設のロープ体は発光膨出部のそれぞれがロープを握った手の滑り止めとして機能する。
【００１０】
そして、段落０００７の全体発光性構成のものは、線条体の全体が光る線条体として機能し、段落０００８の光線反射層を設けた構成のものは、発光膨出部と蓄光発光被覆の発光のうち、線条体の中心方向に向う光線が、その光線反射層に反射されて外周方向へ向うので、本来の外周方向放散光と合体集合して線条体外周から放散作用するので、一段と高輝度の放散光を長時間持続して自発光する。
【００１１】
【発明の実施の形態】
以下、本発明の高輝度発光線条体（以下、単に発光線条体という）の実施形態を説明する。まず、前記基本構成の発光線条体の一実施形態を示す図１参照、この実施形態の発光線条体１は、金属素線を撚合した公知のワイヤロープ（または樹脂質・繊維質の紐を撚合した公知のロープ）からなる可撓性ロープ体の線条体２に、透明樹脂質（ポリエチレン）球形の発光膨出部３が必要なピッチＰによって線体長手方向に連設固着されており、この発光膨出部３は蓄光発光剤４を密にして概ね均一に混入した構造を有して中心孔に線条体２を通して固着セットされており、太陽光・照明光を受けるとその受光を蓄光して暗い雰囲気中で発光するようになっている。
【００１２】
なお、この実施形態のものは、蓄光発光剤４として公知の「アルカリ土類アルミン酸塩を母体結晶となし、ユウロピウム（ＥＵ）を賦活剤、ジスプロシウム（Ｄｙ）またはネオジム（Ｎｄ）を賦活助剤とした蛍光体（例えば根本特殊化学株式会社製の登録商標ルミノーバ）」の粒状物（概ね２０〜５０ミクロンサイズ
）が用いてある。なお、この実施形態のものの発光膨出部３は線条体２の概ね３〜４倍直径のサイズである。
【００１３】
そして、この発光膨出部３は図１（Ｃ）（Ｄ）（Ｅ）に例示するように、発光膨出部３に設けた中心孔ボス部１１を線条体２に「かしめ固着」したり、発光膨出部３に設けた「外周から中心孔１０に至るスリット１２」から線条体２を圧入して固着セットしたり、或は線条体２にセットした係止リング１３に中心孔１０の係止溝１４を圧入係合させることによって線条体２の所定位置に発光膨出部３を固着する手段によって固定セットされる。
【００１４】
続いて、図２を参照して本発明の全体発光性の発光線条体１Ａの一実施形態を説明する。即ち、この発光線条体１Ａは、図１実施形態の発光線条体１と同様な発光膨出部３を間隔をおいて備えたものにおいて、その発光膨出部３間の線条体２の外周に蓄光発光被覆６が設けられ、この蓄光発光被覆６も発光膨出部３と同質の「蓄光発光剤入り樹脂被覆」にして、太陽光・照明光を受けた発光膨出部３と発光膨出部３間の線条体２が発光するようになっている。
【００１５】
なお、この発光線条体１Ａは、線条体２を樹脂被覆装置のノズルから引き出して樹脂被覆を成形する際に、樹脂押出しのスクリュー回転数を一定に保ちながら線条体２の引き取り速度を定速にしたり停止したりして間欠運動させることによって、蓄光発光層６と発光膨出部３を順次連続して一体に形成したり、或は、予め蓄光発光被覆６を設けた線条体２に発光膨出部３を後付けする工法等によって成形される。
【００１６】
続いて、図３を参照して「光線反射表層つき線条体」からなる本発明の発光線条体１Ｂの一実施形態を説明する。即ち、この実施形態の発光線条体１Ｂは、図２に示す全体発光性線条体１Ａの発光輝度の一段の向上を意図したもので、線条体２が「可視光線高反射性表層または白色系表層」の光線反射表層７を備え、この光線反射表層７の外周に発光膨出部３・蓄光発光被覆６が設けられた構造を有している。そして、この光線反射表層７によって、発光膨出部３・蓄光発光被覆６の放散光のうちの線条体２の中心方向に向うものを外周方向へ反射させて、本来の外周方向放散光と集合合体させて、より高輝度の放散光５が発光できるように構成されている。
【００１７】
なお、この光線反射表層７は、可視光線高反射性の「アルミニウム・銀・銅等の線材」を線条体２とすることによって構成したり、同じく可視光線高反射性の「アルミニウム・銀・銅・クロム・亜鉛・ニッケル」等のメッキ層、または、「アルミニウム蒸着・アルミニウム箔の巻き着け」等の公知手段によって形成したり、或は「白色系樹脂の薄膜被覆」「白色系塗料の塗布」等の公知手段によって成形する。
【００１８】
以上の図１・図２・図３実施形態の発光線条体１・１Ａ・１Ｂは前記の作用があり、発光膨出部３が多量の蓄光発光剤を内在させて高輝度発光を長時間持続する発光作用を奏するので、光る線条体・ロープ体として下記に詳述する多領域・多目的に有効に使用できる。
【００１９】
なお、本発明の発光線条体１は前記の実施形態に限定されず、発光膨出部３の連設形態は図４例示のように「ペア接合連設」「数珠状連設」であっても良く、発光膨出部３の形状は球形以外の楕円球形状・異形形状にしたり、さらに、線条体２の任意位置にスライドセットできるポジション可変形態にすることがある。そして、線条体２は用途毎に必要な可撓性・弾性・剛性・引張り強度等の機械的性質を満足する各種材質・多様サイズのものが任意選択的に使用される。
【００２０】
さらに、前記の光線反射表層７は、可視光線高反射性のメッキ層を有する金属素線を撚合したワイヤロープの線条体２の場合、そのワイヤロープの外周にあらわれるメッキ層を光線反射表層７とすることがある。
【００２１】
【発明の効果】
以上の説明のとおり本発明の発光線条体は、暗い雰囲気中において高輝度に発光作用して残光時間も長く維持できるので、以下に例示する多分野・多目的の諸装置・諸物品の性能向上が促進できる。即ち、工事現場・危険場所の安全柵または工事建物の廻りに張るテンシヨナーロープに用いると、夜間における視認が容易になって安全性が向上し、夜間使用の釣り具・漁具として用いるとそれ等用具の取扱い性が向上すると共に、集魚性等の使用効果が向上する。
【００２２】
そして、水上救命ロープ・高所登りの補助ロープ・高所からの降下避難ロープ等として応用すると夜間視認が容易にして発光膨出部が手の滑り止めとして機能するので安全性と救急性能が向上する。また、農作物等への野性動物の侵入防止柵・網として応用すると、太陽光・照明光を蓄光した発光膨出部が暗中で異様な発光形態を呈するので、侵入防止が一段と効果的になる。
【００２３】
さらに、可塑性・可撓性に優れる線条体にしてイルミネーション等の電飾装置に用いると、自由な形状・形態に簡便に整形設定できるので電飾装置自体の設定がし易く、従来物より低コストになると共に、従来の電飾灯と併存させる等によって新規フィーリングの電飾ができる。そして、水族館の鑑賞用水槽等の器物を造形して鑑賞効果の向上を促進したり、振楽器に付設して振り動作のアピール用に応用する等の新規用途開発が可能にして、それ等各分野の各装置・機器の機能・使用効果の一段の向上ができる。以上の諸効果がある。
【図面の簡単な説明】
【図１】本発明の高輝度発光線条体の一実施形態を示し、（Ａ）はその正面図、（Ｂ）はその横断面図、（Ｃ）（Ｄ）（Ｅ）は発光膨出部の固着手段の説明図
【図２】本発明の「全体発光性の高輝度発光線条体」の一実施形態の正面図
【図３】本発明の「光線反射表層つき高輝度発光線条体」の一実施形態を示し、（Ａ）はその正面図、（Ｂ）はその横断面図
【図４】本発明の高輝度発光線条体の発光膨出部の連設形態の説明図
【符号の説明】
１  高輝度発光線条体
２  線条体
３  発光膨出部
４  蓄光発光剤
５  放散孔
６  蓄光発光被覆
７  光線反射表層
【図１】
0004166353.tif 000002
【図２】
0004166353.tif 000003
【図３】
0004166353.tif 000004
【図４】
0004166353.tif 000005